(57)【要約】【課題】本発明は、照明の際に、複数のパターンを形成できるＯＬＥＤ面発光モジュールおよびこれを用いたＯＬＥＤ照明装置を提供する。【解決手段】本発明のＯＬＥＤ面発光モジュールは、第１および第２電極と、前記第１電極と前記第２電極との間に配置され、面状の有機発光層とを備え、第１および第２電極のうちの一方の電極、例えば第１電極１３ａは、所定の第１間隔で離間して順次に配置される複数の第Ａ電極１３１ａ（１３１ａ−１〜１３１ａ−５）と、互いに隣接する第Ａ電極１３１ａの各間それぞれに、第Ａ電極１３１ａと所定の第２間隔で離間して順次に配置される複数の第Ｂ電極１３２ａとを備える。【選択図】図２
2020068154.tif 000002
【特許請求の範囲】
【請求項１】
第１および第２電極と、
前記第１電極と前記第２電極との間に配置され、面状の有機発光層とを備え、
前記第１および第２電極のうちの一方の電極は、所定の第１間隔で離間して順次に配置される複数の第Ａ電極と、互いに隣接する前記第Ａ電極の各間それぞれに、前記第Ａ電極と所定の第２間隔で離間して順次に配置される複数の第Ｂ電極とを備える、
ＯＬＥＤ面発光モジュール。
【請求項２】
前記複数の第Ａ電極は、それぞれ、所定の第１幅で一方向に延びる直線状であり、
前記複数の第Ｂ電極は、それぞれ、所定の第２幅で前記一方向に延びる直線状である、
請求項１に記載のＯＬＥＤ面発光モジュール。
【請求項３】
前記複数の第Ａ電極は、それぞれ、所定の第１幅で一方向に直線状に延びる第Ａ本体部と、前記第Ａ本体部から前記一方向と交差する他方向における一方に所定の第１多角形で延び、かつ、所定の第３間隔で離間して前記一方向に沿って順次に配置される複数の第１Ａ延設部と、互いに隣接する前記第１Ａ延設部の各間それぞれにおける前記第Ａ本体部から前記他方向における他方に所定の第２多角形で延びる複数の第２Ａ延設部とを備え、
前記複数の第Ｂ電極は、それぞれ、所定の第２幅で前記一方向に直線状に延びる第Ｂ本体部と、前記複数の第２Ａ延設部の各間それぞれに前記第２Ａ延設部と離間して配置されるように、前記第Ｂ本体部から前記他方向における前記一方に所定の第３多角形で延びる複数の第１Ｂ延設部と、前記複数の第１Ａ延設部の各間それぞれに前記第１Ａ延設部と離間して配置されるように、前記第Ｂ本体部から前記他方向における前記他方に所定の第４多角形で延びる複数の第２Ｂ延設部とを備える、
請求項１に記載のＯＬＥＤ面発光モジュール。
【請求項４】
前記複数の第Ａ電極は、それぞれ、金属で形成された第Ａ補助電極を前記第Ａ本体部にさらに備え、
前記複数の第Ｂ電極は、それぞれ、金属で形成された第Ｂ補助電極を前記第Ｂ本体部にさらに備える、
請求項３に記載のＯＬＥＤ面発光モジュール。
【請求項５】
前記第１および第２電極は、それぞれ、透明電極である、
請求項１ないし請求項４のいずれか１項に記載のＯＬＥＤ面発光モジュール。
【請求項６】
請求項１ないし請求項５のいずれか１項に記載のＯＬＥＤ面発光モジュールと、
外部から供給される電力を前記ＯＬＥＤ面発光モジュールに供給する配線を備え、前記ＯＬＥＤ面発光モジュールを支持する支持部材とを備える、
ＯＬＥＤ照明装置。
【発明の詳細な説明】
【技術分野】
【０００１】
本発明は、ＯＬＥＤを利用したＯＬＥＤ面発光モジュールおよび前記ＯＬＥＤ面発光モジュールを用いたＯＬＥＤ照明装置に関する。
【背景技術】
【０００２】
ＯＬＥＤ（Ｏｒｇａｎｉｃ  Ｌｉｇｈｔ  Ｅｍｉｔｔｉｎｇ  Ｄｉｏｄｅ）は、有機ＥＬ（Ｏｒｇａｎｉｃ  ＥｌｅｃｔｒｏＬｕｍｉｎｅｓｃｅｎｃｅ）とも呼ばれ、比較的、薄くて軽く、小消費電力でもあることから、近年、例えば、表示装置や照明装置等への応用が研究、開発されている。
【０００３】
一方、複数の光電変換素子を１次元や２次元でアレイ状に配置したイメージセンサでワークを撮像して得られた画像を、例えば、検査や対象認識等の所定の目的に応じて処理するマシンビジョン（ｍａｃｈｉｎｅ  ｖｉｓｉｏｎ）の照明装置として、従来、ＬＥＤ（Ｌｉｇｈｔ  Ｅｍｉｔｔｉｎｇ  Ｄｉｏｄｅ）照明装置が利用されており、例えば、非特許文献１および非特許文献２に開示されている。
【０００４】
これら非特許文献１および非特許文献２に開示されたＬＥＤ照明装置（ＬＦＸ３−ＰＴシリーズやＬＦＸ３シリーズ）は、面発光するＬＥＤの一方主面側に、光を反射するように白色で形成された複数のラインや複数のドットのパターンを持つ導光拡散板を備え、カメラとワークとの間に配置され、複数のラインや複数のドットのパターンでワークを照明する。カメラは、前記ＬＥＤ照明装置でパターン照明されたワークを、前記複数のラインの間や前記複数のドットの間を介して撮像する。
【先行技術文献】
【非特許文献】
【０００５】
【非特許文献１】「ＬＦＸ３−ＰＴシリーズ」、シーシーエス株式会社、［平成３０年７月８日検索］、インターネット（ＵＲＬ；ｈｔｔｐｓ：／／ｗｗｗ．ｃｃｓ−ｉｎｃ．ｃｏ．ｊｐ／ｐｒｏｄｕｃｔｓ／ｓｅｒｉｅｓ／２１４
【非特許文献２】「ＬＦＸ３シリーズ」、シーシーエス株式会社、［平成３０年７月８日検索］、インターネット（ＵＲＬ；ｈｔｔｐｓ：／／ｗｗｗ．ｃｃｓ−ｉｎｃ．ｃｏ．ｊｐ／ｐｒｏｄｕｃｔｓ／ｓｅｒｉｅｓ／２０３
【発明の概要】
【発明が解決しようとする課題】
【０００６】
ところで、上記非特許文献１および非特許文献２に開示されたＬＥＤ照明装置では、前記複数のラインや複数のドットのパターンは、固定的に形成されているので、照明の際に、１個の製品で１個のパターンしか形成することができない。
【０００７】
本発明は、上述の事情に鑑みて為された発明であり、その目的は、照明の際に、複数のパターンを形成できるＯＬＥＤ面発光モジュールおよびＯＬＥＤ照明装置を提供することである。
【課題を解決するための手段】
【０００８】
本発明者は、種々検討した結果、上記目的は、以下の本発明により達成されることを見出した。すなわち、本発明の一態様にかかるＯＬＥＤ面発光モジュールは、第１および第２電極と、前記第１電極と前記第２電極との間に配置され、面状の有機発光層とを備え、前記第１および第２電極のうちの一方の電極は、所定の第１間隔で離間して順次に配置される複数の第Ａ電極と、互いに隣接する前記第Ａ電極の各間それぞれに、前記第Ａ電極と所定の第２間隔で離間して順次に配置される複数の第Ｂ電極とを備える。
【０００９】
このようなＯＬＥＤ面発光モジュールは、前記第１および第２電極のうちの一方の電極が前記複数の第Ａ電極と前記複数の第Ｂ電極とを備えるので、前記第１および第２電極のうちの他方の電極と前記複数の第Ａ電極で前記有機発光層に給電することで、第１パターンで前記有機発光層を発光でき、前記第１および第２電極のうちの他方の電極と前記複数の第Ｂ電極で前記有機発光層に給電することで、第２パターンで前記有機発光層を発光できる。したがって、上記ＯＬＥＤ面発光モジュールは、照明の際に、複数のパターンを形成できる。
【００１０】
他の一態様では、上述のＯＬＥＤ面発光モジュールにおいて、前記複数の第Ａ電極は、それぞれ、所定の第１幅で一方向に延びる直線状であり、前記複数の第Ｂ電極は、それぞれ、所定の第２幅で前記一方向に延びる直線状である。
【００１１】
このようなＯＬＥＤ面発光モジュールは、前記複数の第Ａ電極および前記複数の第Ｂ電極がそれぞれ直線状であるので、前記第１および第２電極のうちの他方の電極と前記複数の第Ａ電極で前記有機発光層に給電することで、前記複数の第Ａ電極それぞれに対応する有機発光層の各部分を点灯するとともに前記複数の第Ｂ電極それぞれに対応する有機発光層の各部分を非点灯にするように（消灯するように）、互いに順次に並置された複数の直線形状を交互に点灯する第１パターンで前記有機発光層を発光でき、一方、前記第１および第２電極のうちの他方の電極と前記複数の第Ｂ電極で前記有機発光層に給電することで、前記複数の第Ａ電極それぞれに対応する有機発光層の各部分を非点灯にするとともに前記複数の第Ｂ電極それぞれに対応する有機発光層の各部分を点灯するように、互いに順次に並置された複数の直線形状を交互に点灯する第２パターンで前記有機発光層を発光できる。
【００１２】
他の一態様では、上述のＯＬＥＤ面発光モジュールにおいて、前記複数の第Ａ電極は、それぞれ、所定の第１幅で一方向に直線状に延びる第Ａ本体部と、前記第Ａ本体部から前記一方向と交差する他方向における一方に所定の第１多角形で延び、かつ、所定の第３間隔で離間して前記一方向に沿って順次に配置される複数の第１Ａ延設部と、互いに隣接する前記第１Ａ延設部の各間それぞれにおける前記第Ａ本体部から前記他方向における他方に所定の第２多角形で延びる複数の第２Ａ延設部とを備え、前記複数の第Ｂ電極は、それぞれ、所定の第２幅で前記一方向に直線状に延びる第Ｂ本体部と、前記複数の第２Ａ延設部の各間それぞれに前記第２Ａ延設部と離間して配置されるように、前記第Ｂ本体部から前記他方向における前記一方に所定の第３多角形で延びる複数の第１Ｂ延設部と、前記複数の第１Ａ延設部の各間それぞれに前記第１Ａ延設部と離間して配置されるように、前記第Ｂ本体部から前記他方向における前記他方に所定の第４多角形で延びる複数の第２Ｂ延設部とを備える。好ましくは、上述のＯＬＥＤ面発光モジュールにおいて、前記第１ないし第４多角形は、同一形状である。好ましくは、上述のＯＬＥＤ面発光モジュールにおいて、前記第１ないし第４多角形は、矩形形状である。
【００１３】
このようなＯＬＥＤ面発光モジュールは、前記複数の第Ａ電極における第１多角形の複数の第１Ａ延設部の各間それぞれに、前記複数の第Ｂ電極における第４多角形の複数の第２Ｂ延設部が配置され、前記複数の第Ａ電極における第２多角形の複数の第２Ａ延設部の各間それぞれに、前記複数の第Ｂ電極における第３多角形の第１Ｂ延設部が配置されているので、前記第１および第２電極のうちの他方の電極と前記複数の第Ａ電極で前記有機発光層に給電することで、前記複数の第Ａ電極それぞれに対応する有機発光層の各部分を点灯するとともに前記複数の第Ｂ電極それぞれに対応する有機発光層の各部分を非点灯にするように、例えば前記多角形が矩形形状である場合に市松模様（チェッカーフラグの模様）のように２次元アレイ状に配置された複数の多角形を交互に点灯する第１パターンで前記有機発光層を発光でき、前記第１および第２電極のうちの他方の電極と前記複数の第Ｂ電極で前記有機発光層に給電することで、前記複数の第Ａ電極それぞれに対応する有機発光層の各部分を非点灯にするとともに前記複数の第Ｂ電極それぞれに対応する有機発光層の各部分を点灯するように、２次元アレイ状に配置された複数の多角形を交互に点灯する第２パターンで前記有機発光層を発光できる。
【００１４】
他の一態様では、上述のＯＬＥＤ面発光モジュールにおいて、前記複数の第Ａ電極は、それぞれ、金属で形成された第Ａ補助電極を前記第Ａ本体部にさらに備え、前記複数の第Ｂ電極は、それぞれ、金属で形成された第Ｂ補助電極を前記第Ｂ本体部にさらに備える。
【００１５】
このようなＯＬＥＤ面発光モジュールは、前記第Ａ本体部に前記第Ａ補助電極をさらに備えるので、前記一方向に延びる前記第Ａ本体部における電圧降下を低減できるから、前記第１パターンで前記有機発光層を発光させる場合における輝度ムラを低減でき、前記第Ｂ本体部に前記第Ｂ補助電極をさらに備えるので、前記一方向に延びる前記第Ｂ本体部における電圧降下を低減できるから、前記第２パターンで前記有機発光層を発光させる場合における輝度ムラを低減できる。
【００１６】
他の一態様では、上述のＯＬＥＤ面発光モジュールにおいて、前記第１および第２電極は、それぞれ、透明電極である。
【００１７】
このようなＯＬＥＤ面発光モジュールは、前記第１および第２電極がそれぞれ透明電極であるので、前記ＯＬＥＤ面発光モジュールを介してワークを観察や撮像できる。このため、上記ＯＬＥＤ面発光モジュールは、カメラとワークとの間に配置できる。
【００１８】
本発明の他の一態様にかかるＯＬＥＤ照明装置は、これら上述のいずれかのＯＬＥＤ面発光モジュールと、外部から供給される電力を前記ＯＬＥＤ面発光モジュールに供給する配線を備え、前記ＯＬＥＤ面発光モジュールを支持する支持部材とを備える。好ましくは、上述のＯＬＥＤ照明装置において、前記ＯＬＥＤ面発光モジュールは、前記有機発光層で発光される光を透過する、面状の光学基板と、封止層とをさらに備え、前記第１および第２電極のうちの一方の電極は、前記光学基板上に積層され、前記封止層は、外部から通電可能とするために第１および第２電極の一部を外部に露出するように、前記第１電極、前記有機発光層および前記第２電極を封止する。
【００１９】
これによれば、これら上述のいずれかのＯＬＥＤ面発光モジュールを備えたＯＬＥＤ照明装置が提供できる。上記ＯＬＥＤ照明装置は、これら上述のいずれかのＯＬＥＤ面発光モジュールを備えるので、照明の際に、複数のパターンを形成できる。
【発明の効果】
【００２０】
本発明にかかるＯＬＥＤ面発光モジュールは、照明の際に、複数のパターンを形成できる。本発明によれば、前記ＯＬＥＤ面発光モジュールを備えたＯＬＥＤ照明装置が提供できる。
【図面の簡単な説明】
【００２１】
【図１】実施形態におけるＯＬＥＤ照明装置およびＯＬＥＤ面発光モジュールの各構成を示す図である。
【図２】第１実施形態のＯＬＥＤ面発光モジュールにおける第１電極の構成を示す平面図である。
【図３】第１実施形態のＯＬＥＤ照明装置およびＯＬＥＤ面発光モジュールにおける、照明の際に形成されるパターンを説明するための図である。
【図４】第２実施形態のＯＬＥＤ照明装置およびＯＬＥＤ面発光モジュールにおける第１電極の構成を示す平面図である。
【図５】第２実施形態のＯＬＥＤ照明装置およびＯＬＥＤ面発光モジュールにおける第１電極の変形形態を説明するための図である。
【図６】第２実施形態のＯＬＥＤ照明装置およびＯＬＥＤ面発光モジュールにおける、照明の際に形成されるパターンを説明するための図である。
【発明を実施するための形態】
【００２２】
以下、図面を参照して、本発明の１または複数の実施形態が説明される。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００２３】
（第１実施形態）
図１は、実施形態におけるＯＬＥＤ照明装置およびＯＬＥＤ面発光モジュールの各構成を示す図である。図１Ａは、ＯＬＥＤ照明装置の構成を示す上面図であり、図１Ｂは、ＯＬＥＤ面発光モジュールの構成を示す断面図である。なお、図１は、第１実施形態におけるＯＬＥＤ照明装置およびＯＬＥＤ面発光モジュールを示すだけでなく、符号を括弧書きで示すことで、第２実施形態およびその変形形態におけるＯＬＥＤ照明装置Ｓｂ、Ｓｂ’およびＯＬＥＤ面発光モジュール１ｂ、１ｂ’を示す。
【００２４】
図１において、第１実施形態におけるＯＬＥＤ照明装置Ｓａは、第１実施形態におけるＯＬＥＤ面発光モジュール（ＯＬＥＤパネル）１ａと、支持部材ＦＲとを備える。
【００２５】
支持部材ＦＲは、ＯＬＥＤ面発光モジュール１ａを支持する部材であり、外部から供給される電力をＯＬＥＤ面発光モジュール１ａに供給する１組の配線を備える。より具体的には、本実施形態では、図１Ａに示すように、ＯＬＥＤ面発光モジュール１ａの外周を囲む、ＯＬＥＤ面発光モジュール１ａの外形形状と略同形状の断面形状を持つ筒状の枠体ＦＲである。支持部材ＦＲとしての枠体ＦＲの表面には、前記配線の一部であって給電ケーブル等を接続するための１組の第１ないし第３電極パッドＥＰ−１、ＥＰ−２、ＥＰ−３が配設されている。なお、これら第１ないし第３電極パッドＥＰ−１、ＥＰ−２、ＥＰ−３を除く前記１組の配線は、その図示が省略されている。
【００２６】
ＯＬＥＤ面発光モジュール（ＯＬＥＤパネル）１ａは、ＯＬＥＤ（Ｏｒｇａｎｉｃ  Ｌｉｇｈｔ  Ｅｍｉｔｔｉｎｇ  Ｄｉｏｄｅ）を備え、給電されると面（２次元）で光を放射する装置である。ＯＬＥＤ面発光モジュール１ａは、平面視にて、例えば多角形形状や円形形状等の任意の形状であって良いが、本実施形態では、図１Ａに示すように、平面視にて矩形形状である。ＯＬＥＤ面発光モジュール１ａは、用途に応じて単色であって良く、あるいは、白色であって良い。ＯＬＥＤ面発光モジュール１ａは、１対の第１および第２電極間に有機発光層を備え、前記第１および第２電極に電力が供給されると、前記有機発光層における電子と正孔との再結合により発光する。このようなＯＬＥＤ面発光モジュール１ａは、一例では、図１に示すように、光学保護層１１と、光学基板１２と、第１電極１３ａと、有機発光層１４と、第２電極１５と、封止層１６とを備える。
【００２７】
光学基板１２は、その上に形成される、第１電極１３ａ、有機発光層１４、第２電極１５および封止層１６を支持する支持部材である。光学基板１２は、有機発光層１４で発光される光を少なくとも透過する、例えば樹脂やガラス等によって形成される。光学基板１２は、例えば、矩形形状や円形形状等の板状（層状）に形成される。
【００２８】
光学保護層１１は、光学基板１２の一方主面上に面状（２次元状、層状、膜状）で積層され、光学基板１２の表面を保護する層であり、有機発光層１４で発光される光を少なくとも透過する、例えば樹脂で形成される。
【００２９】
第１電極１３ａは、第２電極１５と対になって外部から供給された電力を有機発光層１４に給電する部材である。第１電極１３ａは、本実施形態では、アノード電極（＋電極）であり、光学基板１２の他方主面上に形成される。第１電極１３ａは、有機発光層１４で発光される光を少なくとも透過する、例えばＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＺｎＯ（Ｚｉｎｃ  Ｏｘｉｄｅ）等の透明な導電性を有する化合物（透明電極材料）で形成される。なお、第１電極１３ａは、実質的に光を透過可能な厚さ（例えば５０ｎｍ以下）を持つ銀（Ａｇ）、銅（Ｃｕ）、アルミニウム（Ａｌ）、金（Ａｕ）等の金属（合金を含む）で形成されても良い。第１電極１３ａについては、さらに詳細に後述する。
【００３０】
有機発光層１４は、第１電極１３ａ上に面状で積層され、１対の第１および第２電極１３ａ、１５で給電されると、発光する部材である。有機発光層１４は、一例では、正孔注入層（ＨＩＬ：Ｈｏｌｅ  Ｉｎｊｅｃｔｉｏｎ  Ｌａｙｅｒ）／正孔輸送層（ＨＴＬ：Ｈｏｌｅ  Ｔｒａｎｓｆｅｒ  Ｌａｙｅｒ）／発光層（ＥＭＬ：ＥＭｉｓｓｉｖｅ  Ｌａｙｅｒ）／電子輸送層（ＥＴＬ：Ｅｌｅｃｔｒｏｎ  Ｔｒａｎｓｆｅｒ  Ｌａｙｅｒ）／電子注入層（ＥＩＬ：Ｅｌｅｃｔｒｏｎ  Ｉｎｊｅｃｔｉｏｎ  Ｌａｙｅｒ）により構成される。有機発光層１４として、上記の他に、例えば発光層／電子輸送層により構成されるもの、正孔輸送層／発光層／電子輸送層により構成されるもの、正孔輸送層／発光層／正孔阻止層／電子輸送層により構成されるもの、正孔輸送層／発光層/正孔阻止層／電子輸送層／バッファー層により構成されるもの、バッファー層／正孔輸送層／発光層ユニット／正孔阻止層／電子輸送層／バッファー層により構成されるものが挙げられる。なお、光量を増加させるために、有機発光層１４が多層化されても良い。
【００３１】
第２電極１５は、本実施形態では、カソード電極（−電極）であり、有機発光層１４を介して第１電極１３ａと対向するように、有機発光層１４状に面状で積層される。第２電極１５は、有機発光層１４で発光された光を第１電極１３ａ側へ反射させるように、有機発光層１４で発光される光を少なくとも反射する、例えば銀（Ａｇ）、白金（Ｐｔ）、アルミニウム（Ａｌ）等の金属（合金を含む）で形成されても良いが、ＯＬＥＤ面発光モジュール１ａを介してワークに対する観察や撮像を可能とするために、前記透明電極材料で形成される。すなわち、本実施形態では、第１および第２電極１３ａ、１５は、それぞれ、有機発光層１４で発光される光を少なくとも透過する透明電極である。
【００３２】
封止層１６は、外部から通電可能とするために第１および第２電極１３ａ、１５の一部を外部に露出させて、第２電極１５上、および、上述のように積層された第１電極１３ａ、有機発光層１４および第２電極１５の各側面上を覆うように形成されることで、光学基板１２と協働して、第１電極１３ａ、有機発光層１４および第２電極１５を封止する部材である。この封止層１６によって有機発光層１４の劣化が抑制される。
【００３３】
次に、第１電極１３ａについて、さらに説明する。図２は、第１実施形態のＯＬＥＤ面発光モジュールにおける第１電極の構成を示す平面図である。
【００３４】
第１電極１３ａは、例えば図２に示すように、所定の第１間隔ｈ１で離間して順次に配置される複数の第Ａ電極１３１ａと、互いに隣接する第Ａ電極１３１ａの各間それぞれに、第Ａ電極１３１ａと所定の第２間隔ｈ２で離間して順次に配置される複数の第Ｂ電極１３２ａとを備える。第１実施形態では、これら複数の第Ａ電極１３１ａは、それぞれ、所定の第１幅Ｈ１で一方向（図２に示す例では紙面に対する平面視にて水平方向）に所定の第１長さＬ１で延びる直線状であり、これら複数の第Ｂ電極１３２ａは、それぞれ、所定の第２幅Ｈ２で前記一方向に所定の第２長さＬ２で延びる直線状である。これら直線状の複数の第Ａ電極１３１ａは、前記一方向に直交する直交方向（図２に示す例では紙面に対する平面視にて垂直方向）に前記第１間隔ｈ１で離間して順次に平行に並置され、これら直線状の複数の第Ｂ電極１３２ａは、互いに隣接する第Ａ電極１３１ａの各間それぞれに、第Ａ電極１３１ａと前記直交方向に前記第２間隔ｈ２で離間して順次に平行に並置されている。これら複数の第Ａ電極１３１ａおよび複数の第Ｂ電極１３２ａ上には、図２に破線で示すように、上述の有機発光層１４が面状に形成される。
【００３５】
図２に示す例では、複数の第Ａ電極１３１ａは、５個の第Ａ電極１３１ａ−１〜１３１ａ−５を備えて構成され、複数の第Ｂ電極１３２ａは、５個の第Ｂ電極１３２ａ−１〜１３２ａ−５を備えて構成されているが、これら複数の第Ａ電極１３１ａおよび複数の第Ｂ電極１３２ａは、それぞれ、任意の個数で良く、例えばＯＬＥＤ面発光モジュール１ａの仕様等に応じた個数を備えて構成される。前記第１および第２間隔ｈ１、ｈ２は、それぞれ、適宜に設定されて良く、例えばＯＬＥＤ面発光モジュール１ａの仕様等で規定された発光の際のパターンに応じて設定される。前記第１および第２幅Ｈ１、Ｈ２ならびに前記第１および第２長さＬ１、Ｌ２は、それぞれ、適宜に設定されて良く、例えばＯＬＥＤ面発光モジュール１ａの仕様等で規定された発光の際のパターンに応じて設定される。図２に示す例では、第１間隔ｈ１は、第２間隔ｈ２より長く（ｈ１＞ｈ２）、第１幅Ｈ１は、第２幅Ｈ２と同一であり（Ｈ１＝Ｈ２）、２個の第２間隔ｈ２の長さと第２幅Ｈ２の長さとの和は、第１間隔ｈ１と一致する（ｈ１＝２×ｈ２＋Ｈ２）。
【００３６】
そして、本実施形態では、第１電極１３ａは、これら複数の第Ａ電極１３１ａの各一方端（図２に示す例では紙面に対する平面視にて左方端）を連結する第Ａ連結電極１３３ａと、これら複数の第Ｂ電極１３２ａの各他方端（図２に示す例では紙面に対する平面視にて右方端）を連結する第Ｂ連結電極１３５ａと、枠体ＦＲに配置された前記１組の配線のうちの、第１電極パッドＥＰ−１を持つアノード側の配線（第１配線）を、第Ａ連結電極１３３ａに電気的に接続する第Ａ電極パッド１３４ａ（１３４ａ−１、１３４ａ−２）と、前記枠体ＦＲに配置された前記１組の配線のうちの、第２電極パッドＥＰ−２を持つアノード側の配線（第２配線）を、第Ｂ連結電極１３５ａに電気的に接続する第Ｂ電極パッド１３６ａ（１３６ａ−１、１３６ａ−２）とをさらに備える。より具体的には、第Ａ連結電極１３３ａは、図２に示す例では、前記直交方向に延び、複数の第Ａ電極１３１ａの各一方端が連結される第１Ａ連結電極部１３３１ａと、第１Ａ連結電極部１３３１ａの一方端（図２に示す例では紙面に対する平面視にて上方端）から、第Ａ電極１３１ａの中央位置より前記一方端寄りの所定の位置までの長さで、第Ａ電極１３１ａと離間して第１Ａ連結電極部１３３１ａの前記一方端から前記一方向に直線状で延びる第２Ａ連結電極部１３３２ａと、第１Ａ連結電極部１３３１ａの他方端（図２に示す例では紙面に対する平面視にて下方端）から、第Ａ電極１３１ａの中央位置より前記一方端寄りの所定の位置までの前記長さで、第Ａ電極１３１ａと離間して第１Ａ連結電極部１３３１ａの前記他方端から前記一方向に直線状で延びる第３Ａ連結電極部１３３３ａとを備えて構成される。すなわち、第Ａ連結電極１３３ａは、図２に示す例では、平面視にて、略逆コ字形状を呈している。第２および第３Ａ連結電極部１３３２ａ、１３３３ａの各先端部分上には、第Ａ電極パッド１３４ａ−１、１３４ａ−２が形成されている。
【００３７】
第Ｂ連結電極１３５ａは、図２に示す例では、前記直交方向に延び、複数の第Ｂ電極１３２ａの各他方端が連結される第１Ｂ連結電極部１３５１ａと、第１Ｂ連結電極部１３５１ａの一方端から、第Ｂ電極１３２ａの中央位置より前記他方端寄りの所定の位置までの長さで、第Ｂ電極１３２ａと離間して第１Ｂ連結電極部１３５１ａの前記一方端から前記一方向に直線状で延びる第２Ｂ連結電極部１３５２ａと、第１Ｂ連結電極部１３５１ａの他方端から、第Ｂ電極１３２ａの中央位置より前記他方端寄りの所定の位置までの前記長さで、第Ｂ電極１３２ａと離間して第１Ｂ連結電極部１３５１ａの前記他方端から前記一方向に直線状で延びる第３Ｂ連結電極部１３５３ａとを備えて構成される。すなわち、第Ｂ連結電極１３５ａは、図２に示す例では、平面視にて、略コ字形状を呈している。第２および第３Ｂ連結電極部１３５２ａ、１３５３ａの各先端部分上には、第Ｂ電極パッド１３６ａ−１、１３６ａ−２が形成されている。
【００３８】
そして、図２に示す例では、破線で示すように、枠体ＦＲに配置された前記１組の配線のうちの、第３電極パッドＥＰ−３を持つカソード側の配線（第３配線）を、電気的に接続する第２電極１５の２個の電極パッド１６１−１、１６１−２は、第２Ａ連結電極部１３３２ａの他方端（右方端）と第２Ｂ連結電極部１３５２ａの一方端（左方端）との間、および、第３Ａ連結電極部１３３３ａの他方端（右方端）と第３Ｂ連結電極部１３５３ａの一方端（左方端）との間に位置している。
【００３９】
次に、このように構成されたＯＬＥＤ面発光モジュール１ａおよびＯＬＥＤ照明装置Ｓａの照明動作について説明する。図３は、第１実施形態のＯＬＥＤ照明装置およびＯＬＥＤ面発光モジュールにおける、照明の際に形成されるパターンを説明するための図である。図３Ａは、第１パターンを示し、図３Ｂは、第２パターンを示す。なお、図３において、後述の図６も同様に、白抜き部分は、点灯状態を表し、ハッチングされた部分は、非点灯状態を表す。
【００４０】
このようなＯＬＥＤ面発光モジュール１ａおよびＯＬＥＤ照明装置Ｓａでは、第１電極パッドＥＰ−１をアノードとし、第３電極パッドＥＰ−３をカソードとして、外部から電力が供給されると、第１電極１３ａにおける複数の第Ａ電極１３１ａと第２電極１５とで有機発光層１４に給電される。このため、ＯＬＥＤ面発光モジュール１ａは、図３Ａに示すように、複数の第Ａ電極１３１ａそれぞれに対応する有機発光層１４の各部分を点灯するとともに複数の第Ｂ電極１３２ａそれぞれに対応する有機発光層１４の各部分を非点灯にするように（消灯するように）、互いに順次に並置された複数の直線形状（長尺な矩形形状）を交互に点灯する第１パターンで有機発光層１４を発光でき、したがって、ＯＬＥＤ照明装置Ｓａは、前記第１パターンで照明光を放射する。
【００４１】
一方、第２電極パッドＥＰ−２をアノードとし、第３電極パッドＥＰ−３をカソードとして、外部から電力が供給されると、第１電極１３ａにおける複数の第Ｂ電極１３２ａと第２電極１５とで有機発光層１４に給電される。このため、ＯＬＥＤ面発光モジュール１ａは、図３Ｂに示すように、複数の第Ａ電極１３１ａそれぞれに対応する有機発光層１４の各部分を非点灯にするとともに複数の第Ｂ電極１３２ａそれぞれに対応する有機発光層１４の各部分を点灯するように、互いに順次に並置された複数の直線形状（長尺な矩形形状）を交互に点灯する第２パターンで有機発光層１４を発光でき、したがって、ＯＬＥＤ照明装置Ｓａは、前記第２パターンで照明光を放射する。すなわち、図３Ａに示す第１パターンで点灯していた複数の直線形状の部分は、図３Ｂに示す第２パターンでは、非点灯とし、図３Ａに示す第１パターンで非点灯にしていた複数の直線形状の部分は、図３Ｂに示す第２パターンでは、点灯する。
【００４２】
このように第１および第２電極パッドＥＰ−１、ＥＰ−２のうち、給電する電極パッドＥＰを切り替えることで、ＯＬＥＤ面発光モジュール１ａは、第１および第２パターンのうちのいずれかで有機発光層１４を発光でき、ＯＬＥＤ照明装置Ｓａは、第１および第２パターンのうちのいずれかで照明光を放射できる。したがって、第１実施形態におけるＯＬＥＤ面発光モジュール１ａおよびＯＬＥＤ照明装置Ｓａは、照明の際に、複数のパターンを形成できる。
【００４３】
また、上記非特許文献１および非特許文献２に開示されたＬＥＤ照明装置では、カメラは、前記複数のラインの間や前記複数のドットの間を介して撮像するので、前記複数のラインや前記複数のドットで遮蔽されてしまうワークの部分を撮像することができない。このため、ワーク全体の画像を得るためには、ＬＥＤ照明装置とワークとを相対的に精度良く移動させて複数回の撮像を行う必要がある。一方、第１実施形態におけるＯＬＥＤ面発光モジュール１ａおよびＯＬＥＤ照明装置Ｓａは、第１および第２電極１３ａ、１５が透明電極であるので、遮蔽されずに、上記ＯＬＥＤ面発光モジュール１ａおよびＯＬＥＤ照明装置Ｓａを介してワークを観察や撮像できる。このため、ワーク全体の画像を得るために、ＯＬＥＤ面発光モジュール１ａおよびＯＬＥＤ照明装置Ｓａとワークとを相対的に移動させる必要がなく、上記ＯＬＥＤ面発光モジュール１ａおよびＯＬＥＤ照明装置Ｓａは、カメラとワークとの間に固定的に配置できる。
【００４４】
なお、第１および第２電極パッドＥＰ−１、ＥＰ−２を共にアノードとし、第３電極パッドＥＰ−３をカソードとして、外部から電力が供給されると、第１電極１３ａにおける複数の第Ａ電極１３１ａおよび複数の第Ｂ電極１３２ａと第２電極１５とで有機発光層１４に給電され、ＯＬＥＤ面発光モジュール１ａは、全面で発光し、ＯＬＥＤ照明装置Ｓａは、全面で照明光を放射する（第３パターン）。
【００４５】
次に、別の実施形態について説明する。
（第２実施形態およびその変形形態）
第２実施形態およびその変形形態におけるＯＬＥＤ面発光モジュール１ｂ、１ｂ’およびＯＬＥＤ照明装置Ｓｂ、Ｓｂ’は、第１実施形態におけるＯＬＥＤ面発光モジュール１ａおよびＯＬＥＤ照明装置Ｓａに対し、第１電極１３ａに代え、形状の異なる第１電極１３ｂ、１３ｂ’を備えるものである。
【００４６】
図４は、第２実施形態のＯＬＥＤ照明装置およびＯＬＥＤ面発光モジュールにおける第１電極の構成を示す平面図である。図５は、第２実施形態のＯＬＥＤ照明装置およびＯＬＥＤ面発光モジュールにおける第１電極の変形形態を説明するための図である。
【００４７】
第２実施形態およびその変形形態におけるＯＬＥＤ照明装置Ｓｂ、Ｓｂ’は、図１Ａに示すように、第２実施形態およびその変形形態におけるＯＬＥＤ面発光モジュール（ＯＬＥＤパネル）１ｂ、１ｂ’と、支持部材ＦＲとを備える。第２実施形態およびその変形形態のＯＬＥＤ照明装置Ｓｂ、Ｓｂ’における支持部材ＦＲは、第１実施形態のＯＬＥＤ照明装置Ｓａにおける支持部材ＦＲと同様であるので、その説明を省略する。
【００４８】
第２実施形態およびその変形形態におけるＯＬＥＤ面発光モジュール１ｂ、１ｂ’は、図１Ｂに示すように、光学保護層１１と、光学基板１２と、第１電極１３ｂ、１３ｂ’と、有機発光層１４と、第２電極１５と、封止層１６とを備える。これら第２実施形態およびその変形形態のＯＬＥＤ面発光モジュール１ｂ、１ｂ’における光学保護層１１、光学基板１２、有機発光層１４、第２電極１５および封止層１６は、それぞれ、第１実施形態のＯＬＥＤ面発光モジュール１ａにおける光学保護層１１、光学基板１２、有機発光層１４、第２電極１５および封止層１６と同様であるので、その説明を省略する。
【００４９】
第２実施形態における第１電極１３ｂは、例えば図４に示すように、所定の第１間隔ｗ１で離間して順次に配置される複数の第Ａ電極１３１ｂと、互いに隣接する第Ａ電極１３１ｂの各間それぞれに、第Ａ電極１３１ｂと所定の第２間隔ｗ２で離間して順次に配置される複数の第Ｂ電極１３２ｂとを備える。
【００５０】
より具体的には、第２実施形態では、これら複数の第Ａ電極１３１ｂは、それぞれ、所定の第１幅Ｗ１で一方向（図４に示す例では紙面に対する平面視にて水平方向）に直線状に所定の第１長さＫ１で延びる第Ａ本体部１３１１ｂと、この第Ａ本体部１３１１ｂから前記一方向と交差する他方向（例えば前記一方向と直交する直交方向（図４に示す例では紙面に対する平面視にて垂直方向））における一方（図４に示す例では紙面に対する平面視にて上方向）に所定の第１多角形（図４に示す例では第１矩形形状）で延び、かつ、所定の第３間隔ｗ３で離間して前記一方向に沿って順次に配置される複数の第１Ａ延設部１３１２ｂと、互いに隣接する第１Ａ延設部１３１２ｂの各間それぞれにおける第Ａ本体部１３１１ｂから前記他方向における他方（図４に示す例では紙面に対する平面視にて下方向）に所定の第２多角形（図４に示す例では第２矩形形状）で延びる複数の第２Ａ延設部１３１３ｂとを備える。この図４に示す例では、第１および第２矩形形状は、同じ大きさ（同じサイズ）となっている。このため、第Ａ電極１３１ｂでは、複数の矩形形状が、前記他方向における前記一方および前記他方に１個ずつ互い違いに第１Ａ延設部１３１２ｂと第２Ａ延設部１３１３ｂとして第Ａ本体部１３１１ｂから延設されている。
【００５１】
前記複数の第Ｂ電極１３２ｂは、それぞれ、所定の第２幅Ｗ２で前記一方向に直線状に延びる第Ｂ本体部１３２１ｂと、前記複数の第２Ａ延設部１３１３ｂの各間それぞれに第２Ａ延設部１３１３ｂと離間して配置されるように、第Ｂ本体部１３２１ｂから前記他方向における前記一方に所定の第３多角形（図４に示す例では第３矩形形状）で延びる複数の第１Ｂ延設部１３２２ｂと、前記複数の第１Ａ延設部１３１２ｂの各間それぞれに第１Ａ延設部１３１２ｂと離間して配置されるように、第Ｂ本体部１３２１ｂから前記他方向における前記他方に所定の第４多角形（図４に示す例では第４矩形形状）で延びる複数の第２Ｂ延設部１３２３ｂとを備える。この図４に示す例では、第３および第４矩形形状は、同じ大きさとなっている。このため、第Ｂ電極１３２ｂでは、複数の矩形形状が、前記他方向における前記一方および前記他方に１個ずつ互い違いに第１Ｂ延設部１３２２ｂと第２Ｂ延設部１３２３ｂとして第Ｂ本体部１３２１ｂから延設されている。
【００５２】
図４に示す例では、複数の第Ａ電極１３１ｂは、３個の第Ａ電極１３１ｂ−１〜１３１ｂ−３を備えて構成され、複数の第Ｂ電極１３２ｂは、３個の第Ｂ電極１３２ｂ−１〜１３２ｂ−３を備えて構成されているが、これら複数の第Ａ電極１３１ｂおよび複数の第Ｂ電極１３２ｂは、それぞれ、任意の個数で良く、例えばＯＬＥＤ面発光モジュール１ｂの仕様等に応じた個数を備えて構成される。なお、図４に示す例では、第Ａ電極１３１ｂ−１は、一方端（図４に示す例では紙面に対する平面視にて上方端）に位置しているため、複数の第１Ａ延設部１３１２ｂが省略されているが、省略されずに存在しても良い。同様に、第Ｂ電極１３２ｂ−３は、他方端（図４に示す例では紙面に対する平面視にて下方端）に位置しているため、複数の第２Ｂ延設部１３２３ｂが省略されているが、省略されずに存在しても良い。前記第１ないし第３間隔ｗ１〜ｗ３は、それぞれ、適宜に設定されて良く、例えばＯＬＥＤ面発光モジュール１ｂの仕様等で規定された発光の際のパターンに応じて設定される。前記第１および第２幅Ｗ１、Ｗ２ならびに前記第１および第２長さＫ１、Ｋ２は、それぞれ、適宜に設定されて良く、例えばＯＬＥＤ面発光モジュール１ｂの仕様等で規定された発光の際のパターンに応じて設定される。また、図４に示す例では、第１Ａおよび第２Ａ延設部１３１２ｂ、１３１３ｂならびに第１Ｂおよび第２Ｂ延設部１３２２ｂ、１３２３ｂは、矩形形状であるが、例えば、三角形、五角形および六角形等の任意の多角形であって良い。また、図４に示す例では、前記他方向は、直交方向であるが、前記一方向と所定の角度で交差する方向であって良く、この場合、第１Ａおよび第２Ａ延設部１３１２ｂ、１３１３ｂならびに第１Ｂおよび第２Ｂ延設部１３２２ｂ、１３２３ｂは、それぞれ、例えば、菱形であって良い。
【００５３】
そして、本実施形態では、第１電極１３ｂは、これら複数の第Ａ電極１３１ｂの各一方端（図４に示す例では紙面に対する平面視にて左方端）を連結する第Ａ連結電極１３３ｂと、これら複数の第Ｂ電極１３２ｂの各他方端（図４に示す例では紙面に対する平面視にて右方端）を連結する第Ｂ連結電極１３５ｂと、枠体ＦＲに配置された前記１組の配線のうちの、第１電極パッドＥＰ−１を持つアノード側の配線（第１配線）を、第Ａ連結電極１３３ｂに電気的に接続する第Ａ電極パッド１３４ｂ（１３４ｂ−１、１３４ｂ−２）と、前記枠体ＦＲに配置された前記１組の配線のうちの、第２電極パッドＥＰ−２を持つアノード側の配線（第２配線）を、第Ｂ連結電極１３５ｂに電気的に接続する第Ｂ電極パッド１３６ｂ（１３６ｂ−１、１３６ｂ−２）とをさらに備える。より具体的には、第Ａ連結電極１３３ｂは、図４に示す例では、前記交差方向（図４に示す例では前記直交方向）に延び、複数の第Ａ電極１３１ｂの各一方端が連結される第１Ａ連結電極部１３３１ｂと、第１Ａ連結電極部１３３１ｂの一方端（図４に示す例では紙面に対する平面視にて上方端）から、第Ａ電極１３１ｂの中央位置より前記一方端寄りの所定の位置までの長さで、第Ａ電極１３１ｂと離間して第１Ａ連結電極部１３３１ｂの前記一方端から前記一方向に直線状で延びる第２Ａ連結電極部１３３２ｂと、第１Ａ連結電極部１３３１ｂの他方端（図４に示す例では紙面に対する平面視にて下方端）から、第Ａ電極１３１ｂの中央位置より前記一方端寄りの所定の位置までの前記長さで、第Ａ電極１３１ｂと離間して第１Ａ連結電極部１３３１ｂの前記他方端から前記一方向に直線状で延びる第３Ａ連結電極部１３３３ｂとを備えて構成される。すなわち、第Ａ連結電極１３３ｂは、図４に示す例では、平面視にて、略逆コ字形状を呈している。第２および第３Ａ連結電極部１３３２ｂ、１３３３ｂの各先端部分上には、第Ａ電極パッド１３４ｂ−１、１３４ｂ−２が形成されている。
【００５４】
第Ｂ連結電極１３５ｂは、図４に示す例では、前記交差方向に延び、複数の第Ｂ電極１３２ｂの各他方端が連結される第１Ｂ連結電極部１３５１ｂと、第１Ｂ連結電極部１３５１ｂの一方端から、第Ｂ電極１３２ｂの中央位置より前記他方端寄りの所定の位置までの長さで、第Ｂ電極１３２ｂと離間して第１Ｂ連結電極部１３５１ｂの前記一方端から前記一方向に直線状で延びる第２Ｂ連結電極部１３５２ｂと、第１Ｂ連結電極部１３５１ｂの他方端から、第Ｂ電極１３２ｂの中央位置より前記他方端寄りの所定の位置までの前記長さで、第Ｂ電極１３２ｂと離間して第１Ｂ連結電極部１３５１ｂの前記他方端から前記一方向に直線状で延びる第３Ｂ連結電極部１３５３ｂとを備えて構成される。すなわち、第Ｂ連結電極１３５ｂは、図４に示す例では、平面視にて、略コ字形状を呈している。第２および第３Ｂ連結電極部１３５２ｂ、１３５３ｂの各先端部分上には、第Ｂ電極パッド１３６ｂ−１、１３６ｂ−２が形成されている。
【００５５】
そして、図４に示す例では、破線で示すように、枠体ＦＲに配置された前記１組の配線のうちの、第３電極パッドＥＰ−３を持つカソード側の配線（第３配線）を、電気的に接続する第２電極１５の２個の電極パッド１６１−１、１６１−２は、上述の第１実施形態と同様に、第２Ａ連結電極部１３３２ｂの他方端（右方端）と第２Ｂ連結電極部１３５２ｂの一方端（左方端）との間、および、第３Ａ連結電極部１３３３ｂの他方端（右方端）と第３Ｂ連結電極部１３５３ｂの一方端（左方端）との間に位置している。
【００５６】
そして、このような第２実施形態のＯＬＥＤ面発光モジュール１ｂおよびＯＬＥＤ照明装置Ｓｂにおける第１電極１３ｂに対する変形形態では、図５に示すように、複数の第Ａ電極１３１ｂは、それぞれ、前記一方向に直線状に延び、金属で形成された第Ａ補助電極１３７（１３７−１〜１３７−３）を第Ａ本体部１３１１ｂにさらに備え、複数の第Ｂ電極１３２ｂは、それぞれ、前記一方向に直線状に延び、金属で形成された第Ｂ補助電極１３８（１３８−１〜１３８−３）を第Ｂ本体部１３２１ｂにさらに備える。第Ａ補助電極１３７は、第Ａ本体部１３１１ｂ内に形成（配置）されて良く、あるいは、第Ａ本体部１３１１ｂ上に形成（配置）されて良い。第Ｂ補助電極１３８は、第Ｂ本体部１３２１ｂ内に形成（配置）されて良く、あるいは、第Ｂ本体部１３２１ｂ上に形成（配置）されて良い。前記金属は、銀（Ａｇ）、銅（Ｃｕ）、アルミニウム（Ａｌ）、金（Ａｕ）等の金属（合金を含む）で形成される。
【００５７】
このような形状の第１電極１３ｂが例えばＩＴＯ、ＩＺＯおよびＺｎＯ等の透明電極材料で形成される場合、前記透明電極材料は、導電性を有するものの、金属材料に較べて導電率が小さく、金属材料に較べて単位長さ当たりの電圧降下が大きい。このため、第Ａおよび第Ｂ電極１３１ｂ、１３２ｂの前記第１および第２長さＫ１、Ｋ２が長くなると、第Ａおよび第Ｂ電極１３１ｂ、１３２ｂでは、第１Ａおよび第１Ｂ連結電極部１３３１ｂ、１３５１ｂからその先端に向かうに従ってその電圧降下が次第に大きくなり、このため、給電した場合に、第１Ａおよび第１Ｂ連結電極部１３３１ｂ、１３５１ｂからその先端に向かうに従ってその輝度が次第に小さくなり、輝度ムラが生じてしまう。この状態でワークを照明すると、輝度ムラによってワークを均一に照明できず、目視（ヒューマンビジョン）によって例えば検査や対象認識等がし難くなり、特に、マシンビジョンでは、前記検査や対象認識等の所定の目的に応じた処理が難しくなり、誤検出や誤認識が生じてしまう虞がある。上記変形形態では、ＯＬＥＤ面発光モジュール１ｂ’およびＯＬＥＤ照明装置Ｓｂ’は、第Ａ本体部１３１１ｂに第Ａ補助電極１３７をさらに備えるので、前記一方向に延びる第Ａ本体部１３１１ｂにおける電圧降下を低減できるから、複数の第Ａ電極１３１ｂと第２電極１５とで有機発光層１４を発光させる場合における輝度ムラを低減でき、第Ｂ本体部１３２１ｂに第Ｂ補助電極１３８をさらに備えるので、前記一方向に延びる第Ｂ本体部１３２１ｂにおける電圧降下を低減できるから、複数の第Ｂ電極１３２ｂと第２電極１５とで有機発光層１４を発光させる場合における輝度ムラを低減できる。したがって、ヒューマンビジョンやマシンビジョンで誤検出や誤認識が低減できる。
【００５８】
次に、このように構成されたＯＬＥＤ面発光モジュール１ｂ、１ｂ’およびＯＬＥＤ照明装置Ｓｂ、Ｓｂ’の照明動作について説明する。図６は、第２実施形態のＯＬＥＤ照明装置およびＯＬＥＤ面発光モジュールにおける、照明の際に形成されるパターンを説明するための図である。図６Ａは、第１パターンを示し、図６Ｂは、第２パターンを示す。
【００５９】
このようなＯＬＥＤ面発光モジュール１ｂ、１ｂ’およびＯＬＥＤ照明装置Ｓｂ、Ｓｂ’では、第１電極パッドＥＰ−１をアノードとし、第３電極パッドＥＰ−３をカソードとして、外部から電力が供給されると、第１電極１３ｂ、１３ｂ’における複数の第Ａ電極１３１ｂと第２電極１５とで有機発光層１４に給電される。ＯＬＥＤ面発光モジュール１ｂ、１ｂ’は、複数の第Ａ電極１３１ｂにおける第１矩形形状の複数の第１Ａ延設部１３１２ｂの各間それぞれに、複数の第Ｂ電極１３２ｂにおける第４矩形形状の複数の第２Ｂ延設部１３２３ｂが配置され、前記複数の第Ａ電極１３１ｂにおける第２矩形形状の複数の第２Ａ延設備１３１３ｂの各間それぞれに、前記複数の第Ｂ電極１３２ｂにおける第３矩形形状の複数の第１Ｂ延設部１３２２ｂが配置されているので、図６Ａに示すように、複数の第Ａ電極１３１ｂそれぞれに対応する有機発光層１４の各部分を点灯するとともに複数の第Ｂ電極１３２ｂそれぞれに対応する有機発光層１４の各部分を非点灯にするように、例えば市松模様（チェッカーフラグの模様）のように２次元アレイ状に配置された複数の矩形形状を交互に点灯する第１パターンで有機発光層１４を発光でき、したがって、ＯＬＥＤ照明装置Ｓｂ、Ｓｂ’は、前記第１パターンで照明光を放射する。
【００６０】
一方、第２電極パッドＥＰ−２をアノードとし、第３電極パッドＥＰ−３をカソードとして、外部から電力が供給されると、第１電極１３ｂ、１３ｂ’における複数の第Ｂ電極１３２ｂと第２電極１５とで有機発光層１４に給電される。前記第１Ａおよび第２Ａ延設部１３１２ｂ、１３１３ｂならびに第１Ｂおよび第２Ｂ延設部１３２２ｂ、１３２３ｂが上述のように配置されているので、図６Ｂに示すように、複数の第Ａ電極１３１ｂそれぞれに対応する有機発光層１４の各部分を非点灯にするとともに複数の第Ｂ電極１３２ｂそれぞれに対応する有機発光層１４の各部分を点灯するように、２次元アレイ状に配置された複数の矩形形状を交互に点灯する第２パターンで有機発光層１４を発光でき、したがって、ＯＬＥＤ照明装置Ｓｂ、Ｓｂ’は、前記第２パターンで照明光を放射する。すなわち、図６Ａに示す第１パターンで点灯していた複数の矩形形状の部分は、図６Ｂに示す第２パターンでは、非点灯とし、図６Ａに示す第１パターンで非点灯としていた複数の矩形形状の部分は、図６Ｂに示す第２パターンでは、点灯する。
【００６１】
図５を用いて説明した変形形態のＯＬＥＤ照明装置Ｓｂ’では、第Ａおよび第Ｂ補助電極１３７、１３８の各部分で遮光されるため、前記第１および第２パターンそれぞれは、より市松模様に近くなる。
【００６２】
このように第１および第２電極パッドＥＰ−１、ＥＰ−２のうち、給電する電極パッドＥＰを切り替えることで、ＯＬＥＤ面発光モジュール１ｂ、１ｂ’は、第１および第２パターンのうちのいずれかで有機発光層１４を発光でき、ＯＬＥＤ照明装置Ｓｂ、Ｓｂ’は、第１および第２パターンのうちのいずれかで照明光を放射できる。したがって、第２実施形態およびその変形形態におけるＯＬＥＤ面発光モジュール１ｂ、１ｂ’およびＯＬＥＤ照明装置Ｓｂ、Ｓｂ’は、照明の際に、複数のパターンを形成できる。
【００６３】
また、第１実施形態と同様に、第２実施形態およびその変形形態におけるＯＬＥＤ面発光モジュール１ｂ、１ｂ’およびＯＬＥＤ照明装置Ｓｂ、Ｓｂ’は、第１および第２電極１３ｂ、１３ｂ’、１５が透明電極であるので、遮蔽されずに、上記ＯＬＥＤ面発光モジュール１ｂ、１ｂ’およびＯＬＥＤ照明装置Ｓｂ、Ｓｂ’を介してワークを観察や撮像できる。このため、ワーク全体の画像を得るために、ＯＬＥＤ面発光モジュール１ｂ、１ｂ’およびＯＬＥＤ照明装置Ｓｂ、Ｓｂ’とワークとを相対的に移動させる必要がなく、上記ＯＬＥＤ面発光モジュール１ｂ、１ｂ’およびＯＬＥＤ照明装置Ｓｂ、Ｓｂ’は、カメラとワークとの間に固定的に配置できる。
【００６４】
なお、第１および第２電極パッドＥＰ−１、ＥＰ−２を共にアノードとし、第３電極パッドＥＰ−３をカソードとして、外部から電力が供給されると、第１電極１３ｂ、１３ｂ’における複数の第Ａ電極１３１ｂおよび複数の第Ｂ電極１３２ｂと第２電極１５とで有機発光層１４に給電され、ＯＬＥＤ面発光モジュール１ｂ、１ｂ’は、全面で発光し、ＯＬＥＤ照明装置Ｓｂ、Ｓｂ’は、全面で照明光を放射する（第３パターン）。
【００６５】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【００６６】
Ｓａ、Ｓｂ、Ｓｂ’  ＯＬＥＤ照明装置
ＦＲ  支持部材
１ａ、１ｂ、１ｂ’  ＯＬＥＤ面発光モジュール
１３ａ、１３ｂ、１３ｂ’  第１電極
１４  有機発光層
１５  第２電極
１３１ａ（１３１ａ−１〜１３１ａ−５）、１３１ｂ（１３１ｂ−１〜１３１ｂ−３）  第Ａ電極
１３２ａ（１３２ａ−１〜１３２ａ−５）、１３２ｂ（１３２ｂ−１〜１３２ｂ−３）  第Ｂ電極
１３１１ａ  第Ａ本体部
１３１２ａ  第１Ａ延設部
１３１３ａ  第２Ａ延設部
１３２１ｂ  第Ｂ本体部
１３２２ｂ  第１Ｂ延設部
１３２３ｂ  第２Ｂ延設部
【図１】
2020068154.tif 000003
【図２】
2020068154.tif 000004
【図３】
2020068154.tif 000005
【図４】
2020068154.tif 000006
【図５】
2020068154.tif 000007
【図６】
2020068154.tif 000008